(57)【特許請求の範囲】
【請求項１】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記底部の前記複数の溝の間の部分と対向する前記ガイド部の部分に、凸部が形成され、前記底部と前記ガイド部との間隙が、他の前記保持部の部分よりも、狭い
ことを特徴とする電話機。
【請求項２】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記底部と前記ガイド部との間の、前記シートの挿入方向に対して直交する断面の形状が、他の前記保持部の部分よりも、湾曲していることを特徴とする電話機。
【請求項３】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記溝の数が、他の前記保持部の部分よりも、少ないことを特徴とする電話機。
【請求項４】
前記高摩擦力部は、前記溝が形成されていないことを特徴とする請求項３記載の電話機。
【請求項５】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記溝の方向が、他の前記保持部の部分と、異なることを特徴とする電話機。
【請求項６】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記底部もしくは前記ガイド部の材質の摩擦係数が、他の前記保持部の部分よりも、高いことを特徴とする電話機。
【請求項７】
電話機の操作部の操作に関する情報を記載可能なシートと、
前記シートを保持する保持部と、
を有する電話機であって、
前記保持部は、底部と、前記シートの周縁部を保持するガイド部と、前記シートを前記底部と前記ガイド部との間に挿入するための挿入口と、を有し、
前記シートが前記保持部に挿入される方向に沿って、前記底部に複数の溝が形成され、
前記シートを前記保持部に挿入した際、前記保持部の前記挿入口と離間した部分に、他の前記保持部の部分よりも、前記シートと前記保持部との間の摩擦力が高い高摩擦力部を有し、
前記高摩擦力部は、前記底部の表面粗さが、他の前記保持部の部分よりも、粗い形状であることを特徴とする電話機。
【発明の詳細な説明】
【技術分野】
【０００１】
本発明は、電話機に関する。
【背景技術】
【０００２】
電話機の操作ボタンには、例えば頻繁に通話を行う相手先の電話番号を登録するボタンがあるが、操作ボタンに登録された電話番号に対応する相手先名を表示させるために、相手先名をユーザーが記載することができるシートを、操作ボタン近傍に保持する電話機がある。この保持する部分（保持部）にシートを挿入する際、シートと保持部との間に働く摩擦力が大きいと挿入し難くなる。特にシートや保持部に、水滴や油脂成分等が付着した場合や、高湿度下で使用する場合、摩擦力が大幅に増加し、シートを挿入しにくくなる。
【０００３】
この問題を解消するために、保持部に挿入方向に沿って複数の溝を形成すると、シートと保持部との間に働く摩擦力が小さくなることが知られている。下記の特許文献１は現金自動預払機（ＡＴＭ）の紙幣の搬送抵抗を低減する技術であるが、同様に電話機のシートにも適用可能である。
【先行技術文献】
【特許文献】
【０００４】
【特許文献１】特開２０１５−６０４５６号公報
【発明の概要】
【発明が解決しようとする課題】
【０００５】
しかしながら、上述の背景技術を電話機のシートの保持部に適用した場合、シートの挿入は容易になるが、例えば電話機を傾けた場合、シートが簡単に滑り出てしまうという課題がある。これはシートを挿入しやすくするために、保持部に溝を形成したことによって発生した新たな課題である。
【０００６】
本発明は、上記課題に鑑みてなされたものであり、シートの挿入時に、シートと保持部との間に働く摩擦力を軽減しシートを挿入しやすく、かつ電話機を傾けてもシートが滑り出にくいという、相反する要求を同時に解決する電話機を提供するものである。
【課題を解決するための手段】
【０００７】
第１の発明の電話機は、電話機の操作部の操作に関する情報を記載可能なシートと、前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、前記高摩擦力部は、前記底部の前記複数の溝の間の部分と対向する前記ガイド部の部分に、凸部が形成され、前記底部と前記ガイド部との間隙が、他の前記保持部の部分よりも、狭いことを特徴とする。
【０００８】
本発明の電話機では、シートを保持する保持部にシートを挿入する際の摩擦力を低減するための複数の溝が形成されて、シートの挿入を容易にしている。またシートが滑り出ることを抑制するため、シートの挿入口近傍と、挿入口から離間した部分の、シートと保持部の間に働く摩擦力が、離間した部分の方が高くなるように構成されている。これによって、シートを容易に挿入可能で、かつ電話機を傾けても滑り出にくい電話機を提供することができる。
【００１１】
第２の発明の電話機は、電話機の操作部の操作に関する情報を記載可能なシートと、前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、前記高摩擦力部は、前記底部と前記ガイド部との間の、前記シートの挿入方向に対して直交する断面の形状が、他の前記保持部の部分よりも、湾曲していることを特徴とする。
【００１２】
第３の発明は、電話機の操作部の操作に関する情報を記載可能なシートと、前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、 前記高摩擦力部は、前記溝の数が、他の前記保持部の部分よりも、少ないことを特徴とする。
【００１３】
第４の発明は、前記高摩擦力部は、前記溝が形成されていないことを特徴とする。
【００１４】
第５の発明は、電話機の操作部の操作に関する情報を記載可能なシートと、前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、 前記高摩擦力部は、前記溝の方向が、他の前記保持部の部分と、異なることを特徴とする。
【００１５】
第６の発明は、電話機の操作部の操作に関する情報を記載可能なシートと、 前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、前記高摩擦力部は、前記底部もしくは前記ガイド部の材質の摩擦係数が、他の前記保持部の部分よりも、高いことを特徴とする。
【００１６】
第７の発明は、電話機の操作部の操作に関する情報を記載可能なシートと、前記シートを保持する保持部と、を有する電話機であって、前記保持部は、底部と、前記シートの周縁部を保持するガイド部と、前記シートを前記底部と前記ガイド部との間に挿入するための挿入口と、を有し、前記シートが前記保持部に挿入される方向に沿って、前記底部に複数の溝が形成され、前記シートを前記保持部に挿入した際、前記保持部の前記挿入口と離間した部分に、他の前記保持部の部分よりも、前記シートと前記保持部との間の摩擦力が高い高摩擦力部を有し、前記高摩擦力部は、前記底部の表面粗さが、他の前記保持部の部分よりも、粗い形状であることを特徴とする。
【００１７】
第２ から第７ の発明の電話機によって、シートの挿入口近傍と、挿入口から離間した部分の、シートと保持部の間に働く摩擦力が、離間した部分の方が高くなるように構造が実現できる。
【発明の効果】
【００１８】
本発明によれば、相手先名などを記入可能なシートの挿入が容易で、かつ電話機を傾けた場合などでもシートが滑り出にくいという、相反する要求を同時に解決する電話機を提供することができる。
【図面の簡単な説明】
【００１９】
【図１】本発明の実施形態に係る電話機の外観を示す図である。
【図２】本発明の実施形態に係る電話機の外観を示す図である。
【図３】本発明の実施形態に係る電話機の外観を示す図である。
【図４】本発明の実施形態に係る電話機の構成を示すブロック図である。
【図５】本発明の第１の実施形態に係る電話機の外観を示す図である。
【図６】本発明の第１の実施形態に係る電話機の外観を示す図である。
【図７】本発明の第２の実施形態に係る電話機の外観を示す図である。
【図８】本発明の第３の実施形態に係る電話機の外観を示す図である。
【図９】本発明の第３の実施形態に係る電話機の外観を示す図である。
【図１０】本発明の第４の実施形態に係る電話機の外観を示す図である。
【発明を実施するための形態】
【００２０】
以下、本発明の電話機に係る第１の実施形態について説明する。
図１は、本発明の実施形態に係る電話機１の外観を示す図である。図１に示すように電話機１は、本体２と、送受話器３、とを備える。送受話器３は、待機時は本体２のクレイドルに載置され、送受話時にはクレイドルから取り外し使用される。図１は送受話器３がクレイドルに載置されている状態である。本体２と送受話器３は無線、もしくは有線で接続されている（以下、無線の場合、すなわちコードレスホンを例にとって説明するが、有線で接続される電話機でも本発明を適用可能である）。本体２には、例えば現在時刻、通話時間、電話番号等の各種情報を表示可能な表示部４、各種操作ボタンである操作部５、及び操作部８が設けられている。
【００２１】
操作部８は、電話番号等を入力するテンキーや、保留ボタン、留守番電話ボタンなどが含まれる。操作部５は、例えば頻繁に通話を行う相手先の電話番号等を登録するボタンである。相手先の電話番号等は、電話機１のユーザーが任意に登録することが可能である。また相手先電話番号以外でも、例えばユーザーが頻繁に用いる機能（各種設定等）のショートカットを登録しても良い。
【００２２】
操作部５の操作ボタンに、頻繁に用いる相手先電話願号を登録した場合、それぞれの操作ボタンがどの相手先電話番号に対応するかを表示できると便利である。保持部６は、登録した相手先電話番号に対応する相手先名表示を行うためのシートを保持する機能を有する。
【００２３】
図２は、登録した相手先電話番号等や、ショートカット機能等に対応する操作ボタン５の機能、即ち相手先名やショートカット機能の名称等を記入可能なシート９を、保持部６の端にある挿入口７より挿入しているところを示している。シート９は、紙、又はプラスチック等よりなり、電話機１のユーザーが、相手先名等を記入することができる。図２は５つの操作ボタン（操作部５）に対して、右端の一つを除いて、登録した電話番号に対応する相手先の名称が記入されている例である。
【００２４】
図３は、電話機１の本体２の操作部５に隣接するように配置された、保持部６の構造の例を示す図である。図３（ａ）は、保持部６の平面図、図３（ｂ）は、Ａ−Ａ‘における断面図である。保持部６は、底部１１とガイド部１０より構成されている。ガイド部１０は、底部１１の周辺部に対応する形状を有しているので、その中央部分に平面視する場合にシート９を視ることができるように露出させる孔を規定する。シート９は、底部１１とガイド部１０の間に、図３（ａ）の挿入口７より、矢印のシート挿入方向へ挿入される。ガイド部１０はシート９を挿入する際のガイドの機能を有する。底部１１にはシート９の滑りを良くするための、溝３０が複数形成されている。挿入されたシート９は、その周囲をガイド部１０で押さえられるように、保持部６に保持される。
【００２５】
溝３０の本数は、シート９と底部１１の間に働く摩擦力を調整するために適宜選択可能である。すなわち、溝３０の本数によってシート９と底部１１との間に働く摩擦力を調整することが可能である。図３では分かりやすくするために溝３０の本数は少なく記載されているが、実際は例えば０．５ｍｍから１．５ｍｍ程度のピッチで、１０本程度配置される。
【００２６】
底部１１に溝３０を形成することによって、シート９と保持部６の底部１１との間に働く摩擦力が低減するメカニズムは、以下の様に説明される。第１に溝３０を形成することにより、シート９と底部１１との接触面積を低減し、摩擦力が低減されることがあげられる。
【００２７】
第２に、底部１１の表面形状により水滴の接触角が変わり、親水性の度合いが変わることがあげられる。底部１１が平面の場合、底部１１と水滴の接触角が小さく親水性が高まり、水滴が底部１１上を移動しやすくなる。従って底部１１とシート９との間に働く摩擦力が高まる。これに対し、底部１１に溝３０を形成すると、溝３０の部分で見かけ上の接触角が大きくなり、撥水性が高まった状態となり、溝３０による凹凸の障害により水滴が底部１１上を移動しにくくなる。これによって水滴が広がり難くなり、底部１１とシート９の間に働く摩擦力が低減される。
【００２８】
なお、溝３０の方向は、シート９の挿入方向に沿った形状が最も摩擦力が小さくなる。これは溝３０の、挿入方向に対して直角方向の成分があると、それが障害になって摩擦力が高まるためである。しかし、厳密に挿入方向に平行である必要はない。また溝も連続した直線形状である必要はなく、シート９を挿入する際の摩擦力が小さくなるような構造であればよい。
【００２９】
また、溝３０は底部１１の全面に形成されている必要はなく、部分的でもよい。例えば底部１１に、シート９の挿入口７の場所を示す文字表示を付け加えても良く、シート９が保持部６に容易に挿入できる様に、文字表示以外の部分に溝３０が配置されていればよい。
【００３０】
図３（ｃ）は保持部６の、ガイド部１０の別の形態を示す図である。挿入口７の部分にはガイド部１０は形成されていない。この形態でも図３（ａ）と同様にシート９を保持することができる。また、図３ではガイド部は額縁状にシート９の周縁部を保持しているが、これに限るものではなく、透明な材料で保持部全面を被覆する構造でも良い。
【００３１】
また図３では、溝３０は底部１１に形成されているが、ガイド部１０に形成されていても良い。溝３０の形成場所も、摩擦力の調整のために、適宜選択することが可能である。
【００３２】
図４は、本発明の実施形態に係る電話機１の構成を示すブロック図である。図４に示すように、本体２は主制御部２５と、RAM(Random Access Memory)２１と、不揮発性メモリ２２と、公衆回線制御部２３と、音声再生部２４と、表示部４と、操作部５と、無線部２０と、を備える。なお上述の操作部８は、図４では操作部５に含めて記載している。
【００３３】
主制御部２５は、不揮発性メモリ２２に記憶されている制御プログラムに従って、本体２を構成する各部を制御する。不揮発性メモリ２２は、制御プログラム等を記憶している。RAM２１は、主制御部２５の主メモリとして機能する。本発明で用いる操作部５に登録された、相手先電話番号や、各種設定のショートカットに関する情報は、ここに記憶される。公衆回線制御部２３は、公衆回線に接続される。主制御部２５は、公衆回線制御部２３を制御して、他の電話機と通話を行うことができる。
【００３４】
表示部４は、例えば現在時刻、通話時間、電話番号等の各種情報を表示可能な表示装置からなる。また制御部５の操作ボタンを押下されたとき、登録されている相手先電話番号や、各種設定のショートカットの内容も表示しても良い。
音声再生部２４は、通話の音声、鳴動音、留守番電話の内容、アラーム音などを、図示していないスピーカーから発音させる。
【００３５】
図４に示すように、送受話器３は主制御部２９と、RAM(Random Access Memory)２７と、不揮発性メモリ２８と、無線部２６と、を備える。
主制御部２９は、不揮発性メモリ２８に記憶されている制御プログラムに従って、送受話器３を構成する各部を制御する。不揮発性メモリ２８は、制御プログラム等を記憶している。RAM２７は、主制御部２９の主メモリとして機能する。
【００３６】
本体２と、送受話器３は、無線で接続されているコードレス電話機である。無線による接続は、無線部２０と、無線部２６を、介して行われる。
なお、本発明は、上述のコードレス電話を例にとって説明するが、親機と子機とを有する、いわゆる親子電話機や、携帯型の電話機でもであっても、同様に適用することが可能である。また本体２と送受話器３とが有線で接続されていても良い。
【００３７】
次に、図５を参照し、本発明の電話機１の第１の実施形態の詳細について説明する。図５は図１の電話機の、保持部６の左端部分を斜めから見た拡大図である。保持部６は電話番号等を登録した操作ボタン（操作部５）と隣接して配置されている。保持部６には挿入されるシート９との間に働く摩擦力を低減するための溝が形成されている。保持部６の周囲は額縁状にガイド部１０が配置されている。シート９は図５の右側から保持部６に挿入される。保持部６の左端近傍には、シート９と保持部６との間に働く摩擦力を高めるための凸部３１が形成されている。
【００３８】
図６は、図５の保持部６の平面図及び断面図で、各部の名称と機能は図３と同様である。図６（ａ）の挿入口７と反対側付近の、Ｂ−Ｂ‘における断面図が図３（ｂ）である。シート９と保持部６との間に働く摩擦力を高めるための凸部３１が形成されている。凸部３１はガイド部１０から底部１１側に突出しており、凸部と底部１１の凸部の間が狭くなっている。この間隙はシート９の厚さと同等、もしくは狭く形成されている。
【００３９】
これにより、挿入口７から挿入されたシート９は、底部に形成された溝３０の構造により、容易に保持部６に挿入することができる。そして、シートを保持部６の挿入口７と反対側近傍（Ｂ−Ｂ‘付近）まで挿入すると、凸部３１によりシート９と保持部６との間に働く摩擦力が高まる。しかしシート９は、ほぼ保持部６に挿入された状態のため、Ｂ−Ｂ’より先まで挿入し、保持部６への挿入を完了することは容易である。
なお凸部３１を形成する位置は、保持部６とシート９の材料や、保持部６の構造から適宜決定することが可能であるが、保持部６の挿入方向の幅に対して、シート９が挿入口７から７０％程度以上挿入された位置に形成されると、より好適である。
【００４０】
この構造により、シート９の挿入が完了した電話機１を、例えば設置位置の移動等で傾けたとしても、凸部３１の部分で摩擦力が高いため、シート９が滑り出ることを抑制することができる。
【００４１】
なお、凸部３１はガイド部１０の両側にそれぞれ形成されているが、片方でも良く、また底部１１に凸部を形成しても良い。また凸部の形状も、１点で凸部３０と底部１１との間隙を狭める必要はなく、線状または面状に、底部１１とガイド部１０の間隙を狭めても良い。すなわち挿入口７近傍よりも間隙を狭め摩擦力を高める構造であれが良い。
【００４２】
以上の様に、保持部に溝３０を形成し、かつ挿入口７近傍よりも保持部６とシート９との間に働く摩擦力が高い部分を、挿入口７よりも離間した部分に形成することにより、シート９を容易に挿入し、かつ電話機１を傾けてもシート９が容易に滑り出ない電話機１を実現することができる。また凸部３１の形状は、本体１の筐体を作成する際の金型に作りこんでおけば、コストアップ無しに実現可能である。
【００４３】
以下、図７を参照して本発明の電話機に係る第２の実施形態について説明する。なお、第１の実施形態と共通部分の説明は、省略する。
図７（ａ）で、ガイド部１０のＢ−Ｂ‘の部分に、保持部６の面に対して平行な方向に凸部３２が形成されている。図７（ｂ）はＢ−Ｂ’における断面図である。凸部３２は底部１１と平行な方向に形成され、挿入されるシート９の挿入方向に直交する幅方向に対して、間隙を狭めるように形成される。２つの凸部の頂部の間隙は、シート９の幅方向と同等、もしくは狭く形成される。これにより、Ｂ−Ｂ‘におけるシート９と保持部との間に働く摩擦力は、挿入口７近傍より高くなり、第１の実施形態と同様の効果を得ることができる。
第２の実施形態も第１の実施形態と同様に、凸部３２は保持部６の両側にある必要はなく、またシート９の幅方向の間隙を狭めることにより摩擦力を高める構造であれば、凸形状である必要はない。また、凸部３２を底部１１側に形成しても良いことは言うまでもない。
【００４４】
なお、図７（ｃ）のように、保持部６の凸部３２に対応する位置に、シート９に切欠き３３を形成しても良い。この切欠き３３が凸部３２と嵌合するため、よりシート９が滑り出にくくなる効果がある。
【００４５】
以下、図８を参照して本発明の電話機に係る第３の実施形態について説明する。なお、第１の実施形態と共通部分の説明は、省略する。
図８では、溝３０の本数が、挿入口７近傍と、挿入口７と離間した部分とで、異なっている。挿入口７から離間した部分では、溝３０の本数を減らしている。溝３０は、シート９と保持部６との間に働く摩擦力を低減するためのものである。離間した部分の溝３０を減らすことにより、シートと底部１１が接触する面積が増大し、摩擦力が大きくなる。これにより、第１の実施例と同様の効果が得られる。なお、離間した部分の溝を無くしても同様の効果が得られる。
【００４６】
図９は第３の実施形態の変形例である。挿入口７から離間した部分において、溝３０の形成する方向を、シート９の挿入方向からずらして形成している。溝３０は挿入方向と平行に形成すると最も摩擦力数が小さくなるため、本変形例の様に溝３０の形成方向をずらすことにより、挿入口７から離間した部分の摩擦力を高めることが可能となる。
【００４７】
以下、図１０を参照して本発明の電話機に係る第４の実施形態について説明する。なお、第１の実施形態と共通部分の説明は、省略する。
図１０において、挿入口７から離間したＢ−Ｂ‘近傍で、底部１１が湾曲している。これにより、平面であるシート９と保持部６との間に働く摩擦力を高めることが可能である。図１０では、底部１１はガイド部１０側に凸の形状に湾曲しているが、これに限るものではなく、逆方向の湾曲や、波型に湾曲させても同様の効果が得られる。
【００４８】
以下、本発明の電話機に係る第５の実施形態について説明する。なお、第１の実施形態と共通部分の説明は、省略する。
本発明の効果は、例えば図６（ａ）のＢ−Ｂ‘近傍、即ち挿入口７から離間した部分の摩擦力を、挿入口７近傍よりも高めることによって得ることができる。これを実現するには、上述したように保持部６の構造を変えるだけではなく、挿入口７から離間した部分の材料や、表面粗さを変えて摩擦係数を高めても良い。
【００４９】
電話機１の筐体はＡＢＳ樹脂で形成されることが一般的である。本発明の第５の実施形態を実現するには、保持部６の挿入口７から離間した部分を、ＡＢＳ樹脂よりも摩擦係数が高い材料で形成すればよい。ＡＢＳ樹脂より摩擦係数の高い物質として、例えばナイロン、ポリウレタン、塩化ビニール、ポリスチレンなどがあげられるが、これらに限るものではない。これらの材料を保持部の一部、即ち底部１１やガイド部１０の一部に用いれば、摩擦係数が高まり、摩擦力が高まるので本発明の効果が得られる。
【００５０】
また、材料を変えなくても、保持部６の底部１１もしくはガイド部１０の表面粗さを粗く加工することによっても摩擦係数は高まり、摩擦力が高まるので本発明の効果を実現することができる。表面粗さは、金型で調整しても良く、また成形後に機械的もしくは化学的な表面処理によって行っても良い。
【００５１】
以上の様に、本発明は保持部６の底部１１に複数の溝３０を有し、かつ保持部６と挿入されるシート９との間に働く摩擦力が、挿入口７近傍よりも、挿入口７から離間した部分の方が高くなるような構造、もしくは材料とすることによって実現される。
またこれらの実施形態を複数組み合わせてもよい。
【００５２】
本発明は、上述した実施形態に限られるものではなく、特許請求の範囲及び明細書全体から読み取れる発明の要旨或いは思想に反しない範囲で適宜変更可能であり、そのような変更を伴う電話機もまた本発明の技術的範囲に含まれる。
【産業上の利用可能性】
【００５３】
本発明は、電話機に好適に採用され得る。
【符号の説明】
【００５４】
１…電話機、２…本体、３…送受話器、４…表示部、５…操作部、６…保持部、７…挿入口、８…操作部、９…シート、１０…ガイド部、１１…底部、２０、２６…無線部、２１、２７…ＲＡＭ、２２、２８…不揮発性メモリ、２３…公衆回線制御部、２４…音声再生部、２５、２９…主制御部、３０…溝、３１、３２…凸部、３３…切欠き
【図１】
0006477596.tif 000002
【図２】
0006477596.tif 000003
【図３】
0006477596.tif 000004
【図４】
0006477596.tif 000005
【図５】
0006477596.tif 000006
【図６】
0006477596.tif 000007
【図７】
0006477596.tif 000008
【図８】
0006477596.tif 000009
【図９】
0006477596.tif 000010
【図１０】
0006477596.tif 000011